(57)【要約】【課題】汚染土壌の浄化効率を向上させる。【解決手段】夏季に空調装置６０からでる排熱を熱媒体及び熱交換器７０を介して地下水を温水Ｈにして帯水層１２に注水することで、常温水Ｇで浄化する場合と比較し、汚染土壌２０の浄化効率が向上する。また、空調装置６０から出る排熱（温熱・冷熱）を地中に蓄熱することで、汚染土壌２０の浄化と空調装置６０の空調とを総合した全体のエネルギー効率が高められている。【選択図】図１
2014205086.tif 000002
【特許請求の範囲】
【請求項１】
帯水層から汚染物質を含む地下水を揚水し、揚水した前記地下水を浄化装置で浄化して前記帯水層に注水する浄化井戸装置と、
揚水された前記地下水と熱媒体との間で熱交換を行う熱交換器と、
前記熱交換器で熱交換された前記熱媒体の熱エネルギーを利用すると共に利用後に前記熱媒体を熱交換器に送る利用手段と、
を備える汚染土壌の浄化設備。
【請求項２】
前記利用手段は、空調装置であり、
前記浄化井戸装置は、夏季に温水を前記帯水層に注水して蓄熱し、冬季に冷水を前記帯水層に注水して蓄熱するように構成されている、
請求項１に記載の汚染土壌の浄化設備。
【請求項３】
汚染物質を含む前記帯水層は、地盤中に難透水層で仕切られて複数層あり、
前記浄化井戸装置は、前記帯水層毎に注水及び揚水の流量を制御することが可能とされ、
前記熱交換器は、複数の前記帯水層から揚水された前記地下水を熱交換するように構成され、
各前記帯水層から揚水される前記地下水の温度差が少なくなるように、前記帯水層毎に前記流量を制御する第一制御手段を備える、
請求項１又は請求項２に記載の汚染土壌の浄化設備。
【請求項４】
揚水された前記地下水の流量に応じて、前記熱交換器で熱交換する熱媒体の流量を制御する第二制御手段を備える、
請求項１〜請求項３のいずれか１項に記載の汚染土壌の浄化設備。
【請求項５】
帯水層から汚染物質を含む地下水を揚水し、揚水した前記地下水を浄化装置で浄化して前記帯水層に注水する浄化井戸装置と、
揚水された前記地下水と熱媒体との間で熱交換を行う熱交換器と、
熱交換された前記熱媒体の熱エネルギーを利用する利用手段と、
を備え、
前記帯水層に貯留されている冷水の前記地下水を揚水して前記熱交換器で前記熱媒体と熱交換し温水にして前記帯水層に注水する温水注水工程と、
前記帯水層に貯留されている温水の前記地下水を揚水して前記熱交換器で前記熱媒体と熱交換し冷水にして前記帯水層に注水する冷水注水工程と、
を交互に間をあけて断続的に行う汚染土壌の浄化方法。
【請求項６】
前記温水注水工程においては、前記熱交換器で熱交換することで温水にされた前記地下水を前記浄化装置で浄化し、
前記冷水注水工程においては、前記帯水層に貯留されている温水を揚水した前記地下水を前記浄化装置で浄化する、
請求項５に記載の汚染土壌の浄化方法。
【発明の詳細な説明】
【技術分野】
【０００１】
本発明は、汚染土壌の浄化設備、及び汚染土壌の浄化方法に関する。
【背景技術】
【０００２】
特許文献１には、平坦地に建てる建物の冷暖房設備の製造法に関する技術が開示されている。この先行技術では、人工池用の穴の周縁に鉛直柱状熱交換筒を多数本埋込み、蒸発器・圧縮器・凝縮器・膨張弁よりなる閉回路を循環する冷媒を有するヒートポンプを設置し、鉛直柱状熱交換筒と蒸発器内を循環する一次不凍液循環路と凝縮器と熱交換室内機内を循環する二次不凍液循環路とを設けている。
【０００３】
特許文献２には、土壌汚染地域の地熱を利用した設備に関する技術が開示されている。この先行技術では、採熱管と第一循環路を有する一次側熱交換器と、放熱管と第二循環路を有する二次側熱交換器と、の間に、蒸発器、圧縮器、凝縮器および膨張弁を有するヒートポンプを設け、採熱管を土壌汚染地域に水平または垂直に埋設して、その内部を循環させる第一熱媒によって地中熱を採取し、ヒートポンプで昇温した後、その熱を内部に循環させる第二熱媒によって放熱管から放熱している。
【０００４】
特許文献３には、汚染土壌およびまたは地下水の原位置浄化工法に関する技術が開示されている。この先行技術では、土壌中およびまたは地下水中の温度以上の融点を持つ浄化剤を加熱して液状化し、揮発性有機塩素化合物または硝酸性窒素による汚染土壌中およびまたは地下水中に注入し、汚染土壌中およびまたは地下水中に浸透拡散し、温度低下に伴い固形化している。
【０００５】
また、その他、関連する技術が特許文献４〜特許文献８に記載されている。
【０００６】
ここで、地下水の温度は年間を通じて約１８℃前後である。よって、汚染土壌の浄化において、汚染物質の地下水への溶出度や汚染物質を分解する微生物の活性度等を向上させることが困難であり、浄化効率の向上に限界があった。
【先行技術文献】
【特許文献】
【０００７】
【特許文献１】特許第３９９９５９１号
【特許文献２】特開２００３−３４３９２９号公報
【特許文献３】特開２００４−２１６２２０号公報
【特許文献４】特開平９−０９８７７０号公報
【特許文献５】特開２０１０−０００４５４号公報
【特許文献６】特許第４１７６３８３号
【特許文献７】特許第４４２８１２５号
【特許文献８】特許第４４２８６３８号
【発明の概要】
【発明が解決しようとする課題】
【０００８】
本発明は、汚染土壌の浄化効率を向上させることが課題である。
【課題を解決するための手段】
【０００９】
請求項１の発明は、帯水層から汚染物質を含む地下水を揚水し、揚水した前記地下水を浄化装置で浄化して前記帯水層に注水する浄化井戸装置と、揚水された前記地下水と熱媒体との間で熱交換を行う熱交換器と、前記熱交換器で熱交換された前記熱媒体の熱エネルギーを利用すると共に利用後に前記熱媒体を熱交換器に送る利用手段と、を備えている。
【００１０】
請求項１に記載の発明では、揚水した汚染物質を含む地下水を浄化装置で浄化すると共に熱交換器で熱媒体と熱交換して帯水層に注水する。また、地下水と熱交換された熱媒体を利用手段で利用すると共に、利用後に熱交換器に送られ、前述したように地下水と熱交換される。
【００１１】
このように、揚水した地下水を熱交換器で熱媒体と熱交換し温水にして帯水層に注水することで、例えば、汚染物質が効果的に溶出される。或いは、汚染物質が効果的に微生物で分解される。よって、常温の地下水で浄化する場合と比較し、汚染物質の浄化効率が向上する（浄化が促進する）。
【００１２】
また、利用手段から出る排熱を利用することで、汚染土壌の浄化と利用手段とを別々の装置で行う場合と比較し、汚染土壌の浄化と利用手段とを総合した全体のエネルギー効率が高められる。
【００１３】
請求項２の発明は、前記利用手段は、空調装置であり、前記浄化井戸装置は、夏季に温水を前記帯水層に注水して蓄熱し、冬季に冷水を前記帯水層に注水して蓄熱するように構成されている。
【００１４】
請求項２に記載の発明では、夏季に冷房を行う空調装置によって温度が上昇した熱媒体を熱交換器で地下水を温水にして帯水層に注水して貯留し、冬季に温水を揚水して熱交換器で熱媒体の温度を上昇させて暖房に利用する。
【００１５】
また、冬季に暖房を行う空調装置によって温度が低下した熱媒体を熱交換器で地下水を冷水にして帯水層に注水して貯留し、夏季に冷水を揚水して熱交換器で熱媒体の温度を低下させて冷房に利用する。
【００１６】
このように、熱交換器によって地下水と熱交換された熱媒体の熱エネルギーが、一年を通じて効果的に有効に利用される。また、汚染土壌の浄化と空調装置とを総合したエネルギー効率を高められる。
【００１７】
請求項３の発明は、汚染物質を含む前記帯水層は、地盤中に難透水層で仕切られて複数層あり、前記浄化井戸装置は、前記帯水層毎に注水及び揚水の流量を制御することが可能とされ、前記熱交換器は、複数の前記帯水層から揚水された前記地下水を熱交換するように構成され、各前記帯水層から揚水される前記地下水の温度差が少なくなるように、前記帯水層毎に前記流量を制御する第一制御手段を備えている。
【００１８】
請求項３に記載の発明では、各帯水層から揚水される地下水の温度差が少なくなるように、第一制御手段が帯水層毎に注水及び揚水の流量を制御する。よって、揚水された地下水に温度差による熱損失が抑制され、熱交換器による熱交換の変換効率が向上する。
【００１９】
請求項４の発明は、揚水された前記地下水の流量に応じて、前記熱交換器で熱交換する熱媒体の流量を制御する第二制御手段を備えている。
【００２０】
請求項４に記載の発明では、第二制御手段が揚水された地下水の流量に応じて熱交換器で熱交換する液体の流量を制御することで、利用手段で熱エネルギーの利用効率が向上する。
【００２１】
請求項５の発明は、帯水層から汚染物質を含む地下水を揚水し、揚水した前記地下水を浄化装置で浄化して前記帯水層に注水する浄化井戸装置と、揚水された前記地下水と熱媒体との間で熱交換を行う熱交換器と、熱交換された前記熱媒体の熱エネルギーを利用する利用手段と、を備え、前記帯水層に貯留されている冷水の前記地下水を揚水して前記熱交換器で前記熱媒体と熱交換し温水にして前記帯水層に注水する温水注水工程と、前記帯水層に貯留されている温水の前記地下水を揚水して前記熱交換器で前記熱媒体と熱交換し冷水にして前記帯水層に注水する冷水注水工程と、を交互に間をあけて断続的に行う。
【００２２】
請求項５に記載の発明では、揚水した汚染物質を含む地下水を浄化装置で浄化すると共に熱交換器で熱媒体と熱交換して帯水層に注水する。また、地下水と熱交換された熱媒体を利用手段で利用すると共に、利用後に熱交換器に送られ前述したように地下水と熱交換される。
【００２３】
このように、帯水層に温水が貯留されることで、例えば、汚染物質が効果的に溶出される。或いは汚染物質が効果的に微生物で分解される。よって、常温の地下水で浄化する場合と比較し、汚染物質の浄化効率が向上する（浄化が促進する）。
【００２４】
また、温水注水工程で帯水層に温水を注水して貯留し、冷水注水工程で貯留された温水を揚水して熱交換器で熱媒体と熱交換して利用手段で利用すると共に、熱媒体と熱交換されることで冷水になった地下水を帯水層に注水して貯留する。そして、温水注水工程で貯留された冷水を揚水して熱交換器で熱媒体と熱交換して利用手段で利用すると共に、熱媒体と熱交換されることで温水になった地下水を帯水層に注水して貯留する。
【００２５】
このように、温水注水工程と冷水注水工程とを交互に間をあけて断続的に行うことで、利用手段から出る排熱（温熱及び冷熱）を地中に地下水（温水及び冷水）として貯留して蓄熱して利用することになり、汚染土壌の浄化と利用手段とを別々の装置で行う場合と比較し、汚染土壌の浄化と利用手段とを総合した全体のエネルギー効率が高められる。
【００２６】
請求項６の発明は、前記温水注水工程においては、前記熱交換器で熱交換することで温水にされた前記地下水を前記浄化装置で浄化し、前記冷水注水工程においては、前記帯水層に貯留されている温水を揚水した前記地下水を前記浄化装置で浄化する。
【００２７】
請求項６に記載の発明では、熱交換器で熱交換することで温水にされた地下水又は揚水された温水の地下水を浄化装置で浄化することで、浄化装置での浄化効率が向上する。
【発明の効果】
【００２８】
本発明によれば、汚染土壌の浄化効率を向上させることができる。
【図面の簡単な説明】
【００２９】
【図１】本発明の第一実施形態に係る汚染土壌の浄化設備の構成を模式的に示すと共に夏季における汚染土壌の浄化を模式的に示す構成図である。
【図２】冬季における汚染土壌の浄化を模式的に示す図１に対応する構成図である。
【図３】本発明の第二実施形態に係る汚染土壌の浄化設備の構成を模式的に示すと共に夏季における汚染土壌の浄化を模式的に示す構成図である。
【図４】冬季における汚染土壌の浄化を模式的に示す図３に対応する構成図である。
【図５】第二実施携形態の浄化設備の井戸の要部の構成を模式的に示す構成図である。
【図６】夏季における汚染土壌の浄化の様子を（Ａ）から（Ｂ）へと順番に示す工程図である。
【図７】冬季における汚染土壌の浄化の様子を（Ａ）から（Ｂ）へと順番に示す工程図である。
【発明を実施するための形態】
【００３０】
＜第一実施形態＞
本発明の第一実施形態に係る汚染土壌の浄化設備について説明する。
【００３１】
［土壌］
図１及び図２に示すように、地盤１０における地下水位Ｓの下側が帯水層１２となっている。帯水層１２には、汚染物質が含まれる汚染土壌２０が存在している。なお、汚染物質は、トリクロロエチレンやベンゼンに代表される有機化合物、六価クロムやヒ素等の金属化合物、シアン等の無機化合物、ガソリンや軽油に代表される鉱油類等である。
【００３２】
帯水層１２の下は、帯水層１２よりも透水性の低い難透水層１４となっている。また、地盤１０の上には、図示していないオフィスビルや商業施設等の構造物が建てられている。なお、難透水層１４がない地盤であってもよい。
【００３３】
［浄化設備］
浄化設備１００は、遮水壁５０と浄化井戸装置１１０と熱交換器７０と空調装置６０と制御装置８０とを含んで構成されている。
【００３４】
遮水壁５０は、汚染土壌２０の周囲を囲むように形成されている。また、下端部５０Ａが難透水層１４に根入れされている。よって、汚染土壌２０は、遮水壁５０と難透水層１４とで囲まれ閉鎖されている。
【００３５】
浄化井戸装置１１０は、浄化装置１１２と二つの井戸１２０、１２２とを有している。二つの井戸１２０、１２２は、遮水壁５０で囲まれた内側に汚染土壌２０が間に挟まれるように間隔をあけて配置されている。
【００３６】
これら二つの井戸１２０と井戸１２２とは、地下水ライン１２４で繋がり、この地下水ライン１２４に浄化装置１１２が設置されている。そして、浄化井戸装置１１０は、図示していないポンプやバルブ等によって、図１に示すように、一方の井戸１２０から揚水し、揚水した汚染物質を含む地下水を浄化装置１１２で浄化したのち、他方の井戸１２２から注水することが可能なように構成されている。更に、浄化井戸装置１１０は、図２に示すように、他方の井戸１２２から揚水し、揚水した汚染物質を含む地下水を浄化装置１１２で浄化したのち、一方の他方の井戸１２０から注水することも可能なように構成されている。つまり、これら二つの井戸１２０、１２２は、それぞれ揚水と注水とを行うことが可能な構成となっている。
【００３７】
浄化装置１１２における浄化方法は、種々の周知技術を適用することができる。例えば、空気を送り込んで揮発性汚染物質を揮発させて水質改善する方法、浄化剤を添加し反応させて水質改善する方法、汚染物質を吸着することで地下水と汚染物質との分離を図る方法などを適用することができる。
【００３８】
また、汚染土壌２０を浄化するために揚水した地下水に洗浄剤を添加して井戸１２０、１２２から注水してもよい。或いは、生物浄化を行う場合は、栄養塩や酸素を混入させたて注水したり、新たに微生物を混入させて注水したりしてもよい。
【００３９】
熱交換器７０は、地下水ライン１２４を流れる地下水と熱媒体ライン７２を流れる熱媒体との間で熱交換を行う。なお、本実施形態では熱媒体は水が用いられている。しかし、熱交換が可能な媒体であればよく、例えば、オイルや気体等の流体であってもよい。また、熱媒体は、図示してないポンプ等によって熱媒体ライン７２を循環するようになっている。
【００４０】
空調装置６０は、地盤１０に建てられている図示していないオフィスビルや商業施設等の構造物内の空調を行う。空調装置６０は、熱媒体ライン７２を循環する熱交換された熱媒体の熱エネルギー（温熱及び冷熱）を利用することが可能なように構成されている。なお、空調装置６０は、熱媒体ライン７２を循環する熱媒体の熱エネルギー以外のエネルギーも同時に使用して構造物内の空調を行うことが可能に構成されている。
【００４１】
ここで、図１及び図２における各矢印は、帯水層１２での地下水の流れ、地下水ライン１２４での地下水の流れ、熱媒体ライン７２での熱媒体の流れ、空調装置６０での空気の流れ、をそれぞれ示している。また、後述するように、図１と図２とでは、これらの矢印の方向が逆になっている。
【００４２】
制御装置８０は、地下水ライン１２４の図示していないポンプやバルブ等の動作を制御することで、井戸１２０及び井戸１２２における注水と揚水との切り替え（地下水ライン１２４を流れる方向の切り替え）や注水する注水量及び揚水する揚水量を制御する。更に、制御装置８０は、熱媒体ライン７２の図示していないポンプなどを制御し、熱媒体が熱媒体ライン７２を循環する方向及び流速（単位時間当たりの流量）を制御する。
【００４３】
汚染土壌２０には、汚染物質を含む地下水の状態を測定する測定器８２が埋設されている。測定器８２は、帯水層１２を流れる地下水の水圧、地下水中の汚染物質や浄化剤等の濃度、溶存酸素等の水質、地下水の温度等を測定するようになっている。また、測定結果は制御装置８０に送られる。なお、図１及び図２では、測定器８２は一箇所のみに設けられているが（図示されているが）、複数箇所に設けられていてもよい。
【００４４】
＜作用及び効果＞
つぎに、汚染土壌の浄化方法について説明しながら、本実施形態の作用効果を説明する。なお、下記では、夏季から土壌汚染の浄化を開始しているが、これに限定されるものではない。
【００４５】
図６（Ａ）は、遮水壁５０で囲まれた帯水層１２の汚染物質を含む地下水を浄化する前の状態を示している。なお、このときの地下水の温度は常温（１２℃〜２０℃）の常温水Ｇである。なお、後述するように符号Ｃは常温水Ｇよりも低温の冷水を意味し、符号Ｈは常温水Ｇよりも高温の温水を意味する。温水Ｈの水温は、常温水Ｇよりも高温であれば特に限定されないが、本実施形態では２５℃〜３５℃となっている。また、冷水Ｃの水温は、常温水Ｇよりも低温であれば特に限定されないが、本実施形態で０°〜１０℃となっている。なお、常温水Ｇ（地下水）の温度は、地質的及び地理的な影響を受ける。例えば、緯度が高いと低温となり、緯度が低いと高温となる。また、山麓部に近いと低温になり海岸平野に近いと高温になる。
【００４６】
図１及び、図６（Ａ）〜図６（Ｅ）に示すように、夏季に井戸１２０から揚水した汚染物質を含む地下水（常温水Ｇ（１２℃〜２０℃）を熱交換器７０で熱媒体と熱交換して温水にして浄化装置１１２で浄化して井戸１２２から帯水層１２に注水する（温水注水工程）。
【００４７】
このように、浄化装置１１２では温水Ｈで浄化するので、空気を送り込んで揮発性汚染物質を揮発させて水質改善する場合、温度が高い方が揮発しやすいため浄化効率が向上する。或いは、浄化剤を添加し反応させて水質改善する場合も、温度が高い方が、反応速度高くなるため浄化効率が向上する。つまり、温水Ｈで浄化することで浄化効率が向上し浄化が促進する。
【００４８】
熱交換器７０で地下水（常温水Ｇ）と熱交換された熱媒体は温度が低下し、この温度が低下した熱媒体を空調装置６０で冷房に利用すると共に、冷房に利用され温度が上昇した熱媒体が熱交換器７０に送れられる。そして、温度が上昇した熱媒体が前述したように地下水と熱交換されることで地下水が温水となり帯水層１２に注水される。なお、常温水Ｇは夏季の外気よりも低温であるので、熱媒体は常温水Ｇと熱交換することで温度が低下し空調装置６０での冷房に利用することが可能である。
【００４９】
このように井戸１２０から常温水Ｇを揚水し、井戸１２２から温水Ｈを注水することで、図６（Ａ）〜図６（Ｅ）に示すように、徐々に帯水層１２の地下水が常温水Ｇから温水Ｈに置き換わっていく。そして、図６（Ｅ）に示すように夏季が終了すると、帯水層１２の地下水が常温水Ｇから温水Ｈに置き換わる。
【００５０】
秋季の間は、汚染土壌２０（図１参照）の浄化を休止する（図６（Ｅ）の状態で放置される）。しかし、地下は、土壌の断熱機能により大気の温度変化の影響を受けにくく、保温性に優れており、秋季の間、帯水層１２に貯留されている温水Ｈは殆ど温度低下しない。すなわち、空調装置６０の排熱（温熱）が温水Ｈとして帯水層１２に蓄熱されている。
【００５１】
ここで、帯水層１２の地下水が温水Ｈとなることで、洗浄剤を添加して汚染物質を地下水に溶出させる場合、温度が高い温水Ｈの方が効果的に汚染物質が溶出し浄化が促進する。また、生物浄化を行う場合、浄化を行う微生物の働きが活発になり、微生物の増殖速度が高まるため、微生物が汚染物質を分解する酵素を出しやすくなり、この結果、汚染物質が効果的に浄化され浄化が促進する。このように温水Ｈとなることで、常温水Ｇの場合と比較し、汚染物質の浄化効率が向上し浄化が促進する。
【００５２】
冬季になると、図２及び、図７（Ａ）〜図７（Ｅ）に示すように、井戸１２２から揚水した汚染物質を含む地下水（温水Ｈ）を浄化装置１１２で浄化して熱交換器７０で熱媒体と熱交換して冷水Ｃにして井戸１２０から帯水層１２に注水する（冷水注水工程）。
【００５３】
夏季と同じく、浄化装置１１２では、温水Ｈで浄化するので、浄化効率が向上し浄化が促進する。
【００５４】
熱交換器７０で地下水（温水Ｈ）と熱交換された熱媒体は温度が上昇し、この温度が上方した熱媒体を空調装置６０で暖房に利用すると共に、暖房に利用され温度が低下した熱媒体が熱交換器７０に送れられる。そして、温度が低下した熱媒体が前述したように地下水（温水Ｈ）と熱交換されることで地下水が冷水Ｃとなり帯水層１２に注水される。
【００５５】
なお、このとき温水Ｈの地下水と熱交換するので、常温水Ｇの地下水と熱交換するよりも、熱媒体の温度が効果的に上昇し、空調装置６０での暖房効率が向上する。
【００５６】
このように、井戸１２２から温水Ｈが揚水され、井戸１２０から冷水Ｃを注水することで、図７（Ａ）〜図７（Ｅ）に示すように、徐々に帯水層１２の地下水が温水Ｈから冷水Ｃに置き換わっていく。そして、図７（Ｅ）に示すように冬季が終了すると、帯水層１２の地下水が温水Ｈから冷水Ｃに置き換わる。
【００５７】
春季の間は、汚染土壌２０（図２参照）の浄化を休止する（図７（Ｅ）の状態で放置される）。しかし、地下は保温性に優れており、春季の間、帯水層１２に貯留している冷水Ｃは殆ど温度低下しない。すなわち、空調装置６０の排熱（冷熱）が冷水Ｃとして帯水層１２に蓄熱されている。
【００５８】
翌年の夏季になると、再び図１及び、図６（Ａ）〜図６（Ｅ）に示すように、井戸１２０から揚水した汚染物質を含む冷水Ｃを熱交換器７０で熱媒体と熱交換して温水Ｈにして浄化装置１１２で浄化して井戸１２２から帯水層１２に注水する（温水注水工程）。なお、最初の年は、常温水Ｇが揚水されるが、翌年からは帯水層１２に貯留された冷水Ｃが揚水される。
【００５９】
熱交換器７０で冷水Ｃと熱交換された熱媒体は温度が低下し、この温度が低下した熱媒体を空調装置６０で冷房に利用すると共に、冷房に利用され温度が上昇した熱媒体が熱交換器７０に送れられる。そして、温度が上昇した熱媒体が前述したように地下水と熱交換されることで地下水が温水Ｈとなり帯水層１２に注水される。
【００６０】
なお、翌年の夏季以降では、冷水Ｃの地下水と熱交換するので、常温水Ｇの地下水と熱交換するよりも、熱媒体の温度が効果的に低下し、空調装置６０での冷房効率が向上する。
【００６１】
このように井戸１２０から冷水Ｃが揚水され、井戸１２２から温水Ｈを注水することで、図６（Ａ）〜図６（Ｅ）に示すように、徐々に帯水層１２の地下水が冷水Ｃから温水Ｈに置き換わっていく。そして、図６（Ｅ）に示すように夏季が終了すると、帯水層１２の地下水が冷水Ｃから温水Ｈに置き換わる。
【００６２】
以上説明したように温水注水工程と冷水注水工程とを間隔をあけて断続的に繰り替えすることで、汚染土壌２０が浄化されていき、最終的に汚染物質が規定値以下になる。なお、汚染物質が規定位置以下になるには、数年から十数年必要とされているが、本発明を適用することで浄化が促進され、本発明が適用されてない場合と比較し、短時間で規定値以下となる。
【００６３】
ここで、制御装置８０は、汚染土壌２０の汚染物質を含む地下水の状態を測定する測定器８２に測定結果（汚染物質の除去の進捗状況）と汚染物質の除去計画とを比較し、地下水ライン１２４の図示していないポンプやバルブ等の動作を制御して、井戸１２０及び井戸１２２での注水量と揚水量とを制御している。例えば、汚染物質の濃度が計画よりも高い場合は（浄化の進捗が予定より遅い場合は）、注水量や揚水量を増やして地下水の移動速度（図６（Ａ）〜図６（Ｅ）及び図７（Ａ）〜図７（Ｅ））を上げる。また、浄化剤、栄養塩、酸素、微生物の量を増加させる。また、例えば、帯水層１２の温度（温水Ｈと冷水Ｃとの置き換わり状況）に応じて注水量や揚水量を増やして地下水の移動速度（図６（Ａ）〜図６（Ｅ）及び図７（Ａ）〜図７（Ｅ））を制御する。
【００６４】
更に、制御装置８０は、揚水された地下水（常温水Ｇ、冷水Ｃ、温水Ｈ）、すなわち地下水ライン１２４の流量に応じて、熱交換器７０で熱交換する熱媒体の流量、つまり熱媒体ライン７２を流れる流速を制御する。つまり、地下水ライン１２４の流量が多い場合は、熱媒体ライン７２を流れる流速を速くし、地下水ライン１２４の流量が少ない場合は、熱媒体ライン７２を流れる流速を遅くする。これにより空調装置６０での空調効率が向上する。
【００６５】
このように、夏季に空調装置６０からでる排熱（温熱）を熱媒体及び熱交換器７０を介して地下水を温水Ｈにして帯水層１２に注水することで、常温水Ｇで浄化する場合と比較し、汚染土壌２０の浄化効率が向上する。
【００６６】
また、夏季と冬季とに空調装置６０から出る排熱（温熱・冷熱）を温水Ｈ及び冷水Ｃにして帯水層１２に貯留して蓄熱することで、汚染土壌２０の浄化と空調装置６０の空調とを総合した全体のエネルギー効率が高められている。
【００６７】
なお、前述したように、上記では、夏季から土壌汚染の浄化を開始しているが、これに限定されるものではない。冬季から土壌汚染の浄化を開始してもよい。この場合、最初の冬季においては、常温水Ｇが揚水される。しかし、常温水Ｇは冬季の外気よりも高温であるので、熱媒体は常温水Ｇと熱交換することで温度が上昇し空調装置６０での暖房に利用することが可能である。
【００６８】
＜第二実施形態＞
本発明の第二実施形態に係る汚染土壌の浄化設備について説明する。なお、第一実施形態と同一の部材には同一の符号を付し、重複する説明は省略する。
【００６９】
［土壌］
図３及び図４に示すように、地盤１１における地下水位Ｓの下側が帯水層１２となっている。帯水層１２には、汚染物質が含まれる汚染土壌２０が存在している。帯水層１２の下は、帯水層１２よりも透水性の低い難透水層１４となっている。
【００７０】
本実施形態では、難透水層１４の下側も帯水層１６となっている。そして、この帯水層１６にも、汚染物質が存在する汚染土壌２２が存在している。
【００７１】
汚染土壌２０、２２に含まれる汚染物質は、第一実施形態と同様に、トリクロロエチレンやベンゼンに代表される有機化合物、六価クロムやヒ素等の金属化合物、シアン等の無機化合物、ガソリンや軽油に代表される鉱油類等である。また、第一実施形態と同様に、地盤１１の上には、図示していないオフィスビルや商業施設等の構造物が建てられている。
【００７２】
［浄化設備］
浄化設備２００は、遮水壁５２と浄化井戸装置２１０と熱交換器７０と空調装置６０と制御装置８０とを含んで構成されている。なお、熱交換器７０及び空調装置６０は、第一実施形態と同様の構成であるので、説明を省略する。
【００７３】
遮水壁５２は、汚染土壌２０及び汚染土壌２２の周囲を囲むように形成されている。また、下端部５２Ａは下側の帯水層１６に到達し、更に汚染土壌２２よりも下方に位置するように形成されている。よって、汚染土壌２０及び汚染土壌２２は、遮水壁５２で囲まれ閉鎖されている。
【００７４】
浄化井戸装置２１０は、浄化装置１１２と二つの井戸２２０、２２２とを有している。二つの井戸２２０、２２２は、遮水壁５２で囲まれた内側に汚染土壌２０、２２が間に挟まれるように間隔をあけて配置されている。また、二つの井戸２２０、２２２は、難透水層１４を貫通し、下側の帯水層１６に到達している。井戸２２０と井戸２２２とは地下水ライン２２４で繋がり、この地下水ライン２２４に浄化装置１１２が設置されている。なお、浄化装置１１２は、第一実施形態と同一の構成であるので説明を省略する。
【００７５】
浄化井戸装置２１０は、図示していないポンプやバルブ等によって図３に示すように、一方の井戸２２０から揚水し、揚水した汚染物質を含む地下水を浄化装置１１２で浄化したのち、他方の井戸２２２から注水することが可能なように構成されている。更に、浄化井戸装置２１０は、図４に示すように、他方の井戸２２２から揚水し、揚水した汚染物質を含む地下水を浄化装置１１２で浄化したのち、一方の他方の井戸２２０から注水することも可能なように構成されている。
【００７６】
このように二つの井戸２２０、２２２は、それぞれ揚水と注水とを行うことが可能な構成となっている。更に二つの井戸２２０、２２２は、上側の帯水層１２と下側の帯水層１６とに対して、それぞれ個別に揚水及び注水することが可能とされると共に、それぞれ個別に注水及び揚水の流量を制御することが可能な構成となっている。なお、二つの井戸２２０、２２２の具体的な構成の一例は後述する。
【００７７】
ここで、図３及び図４における各矢印は、帯水層１２及び帯水層１６での地下水の流れ、地下水ライン２２４での地下水の流れ、熱媒体ライン７２での熱媒体の流れ、空調装置６０での空気の流れ、をそれぞれ示している。また、後述するように、図３と図４とでは、これらの矢印の方向が逆になっている。
【００７８】
制御装置２８０は、地下水ライン２２４の図示していないポンプやバルブ等の動作を制御することで、井戸２２０及び井戸２２２における注水と揚水との切り替え（地下水ライン１２４を流れる方向の切り替え）、及び注水する注水量と揚水する揚水量を上側の帯水層１２及び下側の帯水層１６とで個別に制御するようになっている。更に、制御装置２８０は、熱媒体ライン７２の図示していないポンプなどを制御し、熱媒体が熱媒体ライン７２を循環する方向及び流速（単位時間当たりの流量）を制御するようになっている。
【００７９】
汚染土壌２０、２２には、汚染物質を含む地下水の状態を測定する測定器８２がそれぞれ埋設されている。各測定器８２は、上側の帯水層１２及び下側の帯水層１６を流れる地下水の水圧、地下水中の汚染物質や浄化剤等の濃度、溶存酸素等の水質、地下水の温度等をそれぞれ測定するようになっている。また、測定結果は制御装置２８０に送られる。なお、図３及び図４では、測定器８２は一箇所のみに設けられているが（図示されているが）、複数箇所に設けられていてもよい。
【００８０】
（井戸２２０及び井戸２２２の構成例）
上述したように、井戸２２０、２２２は、上側の帯水層１２と下側の帯水層１６とに対して、それぞれ個別に注水及び揚水の流量を制御することが可能な構成となっている。よって、ここで、井戸２２０、２２２の構成例について説明する。なお、下記では、井戸２２２を説明しているが、井戸２２０も同様の構成である。
【００８１】
図５に示すように、一本の井戸２２２には、注水と揚水とを行うことが可能な第一井戸鋼管２３０と第二井戸鋼管２３２とが挿入されている。また、井戸２２２内の難透水層１４の深度に止水材層２４０が設けられている
【００８２】
第一井戸鋼管２３０は、先端部２３０Ａが止水材層２４０の上方に位置するように配置されている。また、第一井戸鋼管２３０の先端部２３０Ａは、地下水を注水及び揚水が可能なように有孔管となっている。
【００８３】
第二井戸鋼管２３２は、止水材層２４０を貫通し、先端部２３２Ａが止水材層２４０の下方に位置するように配置されている。また、第二井戸鋼管２３２の先端部２３２Ａは、地下水を注水及び揚水が可能なように有孔管となっている。
【００８４】
そして、これら第一井戸鋼管２３０及び第二井戸鋼管２３２は、地下水ライン２２４（図３及び図４参照）で合流して浄化装置１１２（図３及び図４参照）で浄化されると共に、熱交換器７０で熱媒体と熱交換するように構成されている。
【００８５】
なお、井戸２２０、２２２は、上側の帯水層１２と下側の帯水層１６とが、それぞれ個別に注水及び揚水し且つ流量を制御することが可能な構成は上記構成に限定されない。どのような構成であってもよい。更に、上側の帯水層１２の井戸と下側の帯水層１６の井戸との二本の井戸を有する構成であってもよい。
【００８６】
＜作用及び効果＞
つぎに、汚染土壌の浄化方法について説明しながら、本実施形態の作用効果を説明する。なお、基本的な浄化方法は第一実施形態と同様であるので、第一実施形態と同様の部分は、適宜省略又は適宜簡略化して説明する。
【００８７】
図３に示すように、夏季に井戸２２０から揚水した汚染物質を含む地下水（常温水（約１８℃））を熱交換器７０で熱媒体と熱交換して温水にして浄化装置１１２で浄化して井戸２２２から帯水層１２及び帯水層１６に注水する（温水注水工程）。
【００８８】
熱交換器７０で地下水（常温水Ｇ）と熱交換された熱媒体は温度が低下し、この温度が低下した熱媒体を空調装置６０で冷房に利用すると共に、冷房に利用され温度が上昇した熱媒体が熱交換器７０に送れられる。そして、温度が上昇した熱媒体が前述したように地下水と熱交換されることで地下水が温水となり帯水層１２及び帯水層１６に注水される。
【００８９】
このように井戸２２０から常温水Ｇが揚水され、井戸２２２から温水を注水することで、徐々に帯水層１２及び帯水層１６の地下水が常温水Ｇから温水Ｈに置き換わっていく。そして、夏季が終了すると、帯水層１２及び帯水層１６の地下水が冷水Ｃ（又は常温水Ｇ）から温水Ｈに置き換わる（図６（Ａ）〜図６（Ｅ）を参照）。
【００９０】
そして、秋季の間は、汚染土壌２０、２２の浄化を休止する。しかし、地下は保温性に優れており、秋季の間、帯水層１２、１６に貯留されている温水Ｈは殆ど温度低下しない。すなわち、空調装置６０の排熱（温熱）が温水Ｈとして帯水層１２及び帯水層１６に蓄熱されている。
【００９１】
ここで、帯水層１２及び帯水層１６の地下水が温水Ｈとなることで、第一実施形態と同様に、常温水Ｇの場合と比較し、汚染物質の浄化効率が向上し浄化が促進する。なお、上側の帯水層１２と下側の帯水層１６とで異なる浄化方法で浄化してもよい。
【００９２】
また、浄化装置１１２では温水Ｈで浄化することで、第一実施形態と同様に、浄化効率が向上し浄化が促進する。
【００９３】
冬季になると図４に示すように、井戸２２２から揚水した汚染物質を含む地下水（温水Ｈ）を浄化装置１１２で浄化して熱交換器７０で熱媒体と熱交換して冷水Ｃにして井戸１２２から帯水層１２及び帯水層１６に注水する（冷水注水工程）。
【００９４】
熱交換器７０で地下水（温水Ｈ）と熱交換された熱媒体は温度が上昇し、この温度が上方した熱媒体を空調装置６０で暖房に利用すると共に、暖房に利用され温度が低下した熱媒体が熱交換器７０に送れられる。そして、温度が低下した熱媒体が前述したように地下水（温水Ｈ）と熱交換されることで地下水が冷水Ｃとなり帯水層１２及び帯水層１６に注水される。
【００９５】
また、冬季においても浄化装置１１２では温水Ｈで浄化するので、前述したように浄化効率が向上し浄化が促進する。
【００９６】
このように、井戸１２２から温水Ｈが揚水され、井戸１２０から冷水Ｃを注水することで、徐々に帯水層１２及び帯水層１６の地下水が温水Ｈから冷水Ｃに置き換わっていく。冬季が終了すると、帯水層１２及び帯水層１６の地下水が温度の温水Ｈから冷水Ｃに置き換わる（図７（Ａ）〜図７（Ｅ）を参照）。
【００９７】
そして、春季の間は、汚染土壌２０（図２参照）の浄化を休止する。しかし、地下は保温性に優れており、春季の間、帯水層１２、１６に貯留されている冷水Ｃは殆ど温度低下しない。すなわち、空調装置６０の排熱（冷熱）が冷水Ｃとして帯水層１２及び帯水層１６に蓄熱されている。
【００９８】
翌年の夏季になると、再び井戸２２０から揚水した汚染物質を含む冷水Ｃを熱交換器７０で熱媒体と熱交換して温水Ｈにして浄化装置１１２で浄化して井戸２２２から帯水層１２及び帯水層１６に注水する。なお、最初の年は、常温水Ｇが揚水されるが、翌年からは帯水層１２及び帯水層１６に貯留された冷水Ｃが揚水される。
【００９９】
熱交換器７０で冷水Ｃと熱交換された熱媒体は温度が低下し、この温度が低下した熱媒体を空調装置６０で冷房に利用すると共に、冷房に利用され温度が上昇した熱媒体が熱交換器７０に送れられる。そして、温度が上昇した熱媒体が前述したように地下水と熱交換されることで地下水が温水Ｈとなり帯水層１２及び帯水層１６に注水される。
【０１００】
なお、冷水Ｃの地下水と熱交換するので、常温水Ｇの地下水と熱交換するよりも、熱媒体の温度が効果的に低下し、空調装置６０での冷房効率が向上する。
【０１０１】
このように井戸２２０から冷水Ｃが揚水され、井戸２２２から温水Ｈを注水することで、徐々に帯水層１２及び帯水層１６の地下水が冷水Ｃから温水Ｈに置き換わっていく。そして、帯水層１２及び帯水層１６の地下水が冷水Ｃから温水Ｈに置き換わる（図６（Ａ）〜図６（Ｅ）を参照）。
【０１０２】
以上説明したように温水注水工程と冷水注水工程とを間隔をあけて断続的に繰り替えすることで、汚染土壌２０と汚染土壌２２とが浄化されていき最終的に汚染物質が規定値以下になる。なお、汚染物質が規定位置以下になるには、数年から十数年必要とされているが、本発明を適用することで浄化が促進され、本発明が適用されてない場合と比較し、短時間で規定値以下となる。
【０１０３】
ここで、制御装置２８０は、上側の帯水層１２の汚染土壌２０の汚染物質を含む地下水の状態を測定する測定器８２に測定結果（汚染物質の除去の進捗状況）と、下側の帯水層１６の汚染土壌２２の汚染物質を含む地下水の状態を測定する測定器８２に測定結果（汚染物質の除去の進捗状況）と、汚染物質の除去計画と、を比較し、地下水ライン２２４の図示していないポンプやバルブの動作を制御して、上側の帯水層１２への注水量及び揚水量と、下側の帯水層１６への注水量及び揚水量と、を制御している。
【０１０４】
更に、制御装置２８０は、上側の帯水層１２から揚水される地下水（冷水Ｃ又は温水Ｈ）と下側の帯水層１６から揚水される地下水（冷水Ｃ又は温水Ｈ）との温度差が少なくなるように、上側の帯水層１２の揚水量及び注水量と、下側の帯水層１６の揚水量及び注水量と、を個別に制御する。よって、揚水された地下水（冷水Ｃ又は温水Ｈ）の温度差による熱損失が抑制され、熱交換器７０による熱交換の変換効率が向上する。
【０１０５】
更に、制御装置２８０は、第一実施形態と同様に、揚水された地下水（常温水Ｇ、冷水Ｃ、温水Ｈ）、すなわち地下水ライン１２４の流量に応じて、熱交換器７０で熱交換する熱媒体の流量、つまり熱媒体ライン７２を流れる流速を制御する。これにより空調装置６０での空調効率が向上する。
【０１０６】
＜その他＞
尚、本発明は上記実施形態に限定されない。
【０１０７】
例えば、上記実施形態では、遮水壁５０、５２は、汚染土壌２０、２２の周囲を囲むように形成されているが、これに限定されるものではない。遮水壁の一部が開口した構造であってもよい。更に、遮水壁がない浄化設備の構成であってもよい。
【０１０８】
また、例えば、上記実施形態では、地下水と熱交換した熱媒体は、図示していない構造物に設けられた空調装置６０で利用したが、これに限定されない。空調装置以外の装置や設備に利用してもよい。例えば、夏季には、機械や装置の冷却に利用し、冬季には機械や装置の加熱に利用してもうよい。或いは、温水プールに利用するなどしてもよい。また、例えば、揚水した地下水は熱交換器で熱交換する前に浄化装置で浄化してもよい。
【０１０９】
また、例えば、上記実施形態では、夏季においては井戸１２２、２２２から揚水し井戸１２０、２２０から注水し、冬季においては井戸１２０、２２０から揚水し井戸１２２、２２２から注水したが、これに限定されない。夏季及び冬季共に、井戸１２２、２２２（又は井戸１２０、２２０）から揚水し、井戸１２０、２２０（又は井戸１２２、２２２）から注水するようにしてもよい。この場合、温水が浄化装置１１２に流れるように地下水ラインの流れをバルブなどで切り替えられるようにしてもよい。
【０１１０】
また、例えば、上記第二実施形態では、上側の帯水層１２と下側の帯水層１６との二つの帯水層の汚染土壌の浄化する浄化設備であったが、これに限定されない。三層以上の帯水層にも本発明を適用することができる。
【０１１１】
更に、本発明の要旨を逸脱しない範囲において種々なる態様で実施し得ることは言うまでもない
【符号の説明】
【０１１２】
１２      帯水層
１４      難透水層
１６      帯水層
７０      熱交換器
６０      空調装置（利用手段の一例）
８０      制御装置（第一制御手段の一例、第二制御手段の一例）
１００      浄化設備
１１０      浄化井戸装置
１１２      浄化装置
２００      浄化設備
２１０      浄化井戸装置
２８０      制御装置（第一制御手段の一例、第二制御手段の一例）
【図１】
2014205086.tif 000003
【図２】
2014205086.tif 000004
【図３】
2014205086.tif 000005
【図４】
2014205086.tif 000006
【図５】
2014205086.tif 000007
【図６】
2014205086.tif 000008
【図７】
2014205086.tif 000009